(57)【要約】【課題】複数に分割された水処理装置を構成するに容易に埋設配管施工できる浄化槽、および、その浄化槽を用いた水処理装置を提供すること。【解決手段】一つの水処理槽を内部に形成可能なケーシングＮ０を設けるとともに、前記ケーシングＮ０に対する被処理水流入部あるいは被処理水流出部を形成可能な被処理水流通管形成部Ｋを、前記ケーシングＮ０に多数設けてある。【選択図】                図１
2004181410.tif 000002
【特許請求の範囲】
【請求項１】
一つの水処理槽を内部に形成可能なケーシングを設けるとともに、前記ケーシングに対する被処理水流入部あるいは被処理水流出部を形成可能な被処理水流通管形成部を、前記ケーシングに多数設けてある浄化槽。
【請求項２】
前記ケーシングが有底筒状に形成され、前記被処理水流通管形成部が前記ケーシング上部側面に等間隔に設けてある請求項１記載の浄化槽。
【請求項３】
ケーシングが有底円筒状の下側本体と、前記下側本体の上部に水封可能に結合自在な上側本体とからなり、前記上側本体を下側本体に対して軸心周りに回転自在に結合可能に構成してある浄化槽。
【請求項４】
前記請求項１〜３のいずれか１項に記載の浄化槽を複数併設するとともに、被処理水を前記複数の浄化槽にわたって順次移送自在に形成してある水処理装置。
【発明の詳細な説明】
【０００１】
【発明の属する技術分野】
本発明は、浄化槽および水処理装置に関する。
【０００２】
【従来の技術】
従来、複数の水処理槽を内部に形成してあるケーシングを設け、一対の被処理水流入部および被処理水流出部を前記ケーシングの周面に設けた浄化槽を水処理装置として用いるものが知られている。
このような浄化槽は、一つのケーシング内に水処理装置としての機能を併せ持つことができるために、高度の水処理に適するものであるが、一つ一つのケーシングが大容量になりがちである。また、実際に施工される際には、地中に埋設され、被処理水をその浄化槽に導く配管を接続して水処理装置とするのであるが、近年の住宅事情によると、特に都市部近郊においてこのような浄化槽の埋設する敷地スペースが確保できないという状況にあり、省スペースで施工でき小型高機能の施工容易な浄化槽が求められている。
そこで、前記浄化槽を複数に分けて水処理装置を形成することも考えられている（特許文献１参照）。
【０００３】
【特許文献１】
特開２００２−１７２３９７号公報
【０００４】
【発明が解決しようとする課題】
しかし、前記浄化槽に対する被処理水の流入位置排出位置ともに内部の構造と関連して一義的に決められ、方向性を有するものとなっている。また、区分された浄化槽同士の機能は、互いに密接に関係しているため、上述の浄化槽において被処理水の移流順序は所定の順序にあらかじめ設定されている。
従って、各浄化槽の被処理水流入部、被処理水流出部（以下単に流入部、流出部と称する）は、それぞれ、決められた流入部と流出部とを順次接続することによって配管されなければならない。
ところが、浄化槽自体に方向性があると、その浄化槽の施工の際に、埋設方向、順序、姿勢に制限を受けることになるから、やはり敷地スペースに合わせた施工が困難になりやすい。また、このようにして個々の浄化槽を設置する場合には、配管の接続方向が正確に位置決めされないと、浄化槽の配管施工作業が困難になり、配管の接続を確実にしにくい。
【０００５】
従って、本発明の目的は、上記実情に鑑み、複数に分割された水処理装置を構成するに容易に埋設配管施工できる浄化槽、および、その浄化槽を用いた水処理装置を提供することにある。
【０００６】
【課題を解決するための手段】
この目的を達成するための本発明の浄化槽の特徴構成は、
一つの水処理槽を内部に形成可能なケーシングを設けるとともに、前記ケーシングに対する被処理水流入部あるいは被処理水流出部を形成可能な被処理水流通管形成部を、前記ケーシングに多数設けてある点にある。
また、前記ケーシングが有底筒状に形成され、前記被処理水流通管形成部が前記ケーシング上部側面に等間隔に設けてあることが好ましい。
また、前記ケーシングが有底円筒状の下側本体と、前記下側本体の上部に水封可能に結合自在な上側本体とからなり、前記上側本体を下側本体に対して軸心周りに回転自在に結合可能に構成してあってもよい。
【０００７】
また、前記目的を達成するための本発明の水処理装置の特徴構成は、
前記浄化槽を複数併設するとともに、被処理水を前記複数の浄化槽にわたって順次移送自在に形成してある点にある。
【０００８】
〔作用効果〕
つまり、一つの水処理槽を内部に形成可能なケーシングを設けると、水処理槽一つだけ形成するだけのケーシングとしては容量の小さなもので十分となる。従って、埋設位置を選ばず施工容易になる。また、内部に一つの水処理槽を有するだけなので、流入部を任意の方向に配向して被処理水を目的の水処理槽に導くことができる。また、流出部についても任意の方向に形成することができ、前記水処理槽から被処理水を所定の方向に移出させ、容易に後続の水処理槽等へ移送することができるようになる。
ここで、前記流入部あるいは前記流出部を形成可能な被処理水流通管形成部  （以下単に形成部と称する）を多数設けてあると、前記多数の形成部の内いずれかを流入部とし、いずれかを流出部とすることにより、水処理槽内で被処理水を水処理して、順次移送する構成を実現できる。また多数の形成部から適切な位置のものを選んで流入部あるいは流出部に形成するから、配管容易な形成部を選んで施工することができる。従って、方向性に制限されることなく、容易に水処理槽を施行できるようになる。
【０００９】
前記ケーシングが有底筒状に形成され、前記形成部が前記ケーシング上部側面に等間隔に設けてあると、前記ケーシングが平面視で対称性の高い形状であるだけで、全くといって方向性の無い形状に前記ケーシングを形成することもできるようになる。また、全く対称形でなくても、前記形成部を等間隔に設けることによりそのケーシングの形状に基づく異方性は緩和される。そのため、埋設、配管施工の際に、浄化槽同士の接続や浄化槽と家屋側配管との接続が簡単に行える。
【００１０】
一方、前記ケーシングを有底円筒状の下側本体と、前記下側本体の上部に水封可能に結合自在な上側本体とから構成し、前記上側本体を下側本体に対して軸心周りに回転自在に結合可能に構成しておくと、たとえば、上側本体に流入部と流出部を形成する場合に、上側本体のいずれの周面に流入部を形成しても前記浄化槽同士の接続や浄化槽と家屋側配管との接続が容易な位置に前記流入部の位置を変更することができるので、浄化槽の埋設施工時の位置合わせに要する労力を軽減し、容易に配管施工できるようになる。
【００１１】
尚、前記浄化槽を複数併設するとともに、被処理水を前記複数の浄化槽にわたって順次移送自在に形成してあると、各浄化槽が嫌気処理、好気処理、膜分離処理、活性汚泥処理、夾雑物除去、被処理水の一時貯留等、水処理装置単一の機能しか果たさないとしても、その組み合わせにより、本来浄化槽が有するべき機能を一通り有する水処理装置を形成することができる。従って、各槽を狭所、異形の敷地など種々の場所に適用できる。
【００１２】
【発明の実施の形態】
以下に本発明の実施の形態を図面に基づいて説明する。
図３に示す水処理装置は、水処理装置を構成する沈澱分離流量調整槽Ｎ、膜分離槽Ｅ、消毒槽Ｑの各水処理槽を、個別に有する複数の浄化槽からなる。前記浄化槽は、図１〜３に示すように、水処理槽を形成可能なケーシングからなる浄化槽本体Ｎ０，Ｅ０，Ｑ０を設け、その浄化槽本体Ｎ０，Ｅ０，Ｑ０に内装部材Ｓ，Ｍを被処理水中に浸漬自在に内装して、その水処理槽に対応した浄化槽に形成してある。これら浄化槽は、仮埋設された際に、被処理水流入部Ｉと、被処理水流出部Ｚとを形成する被処理水流通管形成部Ｋ，Ｋを互いに位置決めした後、配管接続され、マンホールとして閉塞される上部開口Ｈを残して完全に埋設した状態で水処理装置として用いられる。
【００１３】
図３，４に示すように、前記沈澱分離流量調整槽Ｎは、浄化槽本体Ｎ０に円筒状スクリーン部材Ｓを内装し、前記浄化槽本体Ｎ０の底部に形成された支持部１０に固定して、内部を外側、内側の２つの領域Ｎ１，Ｎ２に区分する。前記形成部Ｋ，Ｋにはそれぞれ被処理水流入管、被処理水流出管を設けてそれぞれ被処理水流入部および流出部を形成する。流入部Ｉから前記外側の領域Ｎ１に被処理水の原水が流入するとともに、前記スクリーン部材Ｓを通過して被処理水が前記内側の領域Ｎ２に流入する。前記内側の領域Ｎ２にはエアリフトポンプＡを設けてあり、流入した被処理水を流出部Ｚを介して浄化槽本体Ｎ１外へ移送自在に構成してある。
【００１４】
ここで、前記スクリーン部材Ｓは、前記水処理槽底部に設けられた支持部１０に固定されるとともに、前記スクリーンＳ上部を係止部２に形成して、前記水処理室に臨む上開口部Ｈの周縁部に着脱可能に設けた固定用部材３０に形成された被係止部３１に係止固定してある。
【００１５】
図３，５に示すように、前記膜分離槽Ｅは、浄化槽本体Ｅ０に膜分離装置Ｍを内装し、前記浄化槽本体Ｅ０の底部に形成された支持部１０に固定して構成してある。前記膜分離槽Ｅには、形成部Ｋに流入部Ｉを形成する流入管を取り付けて、沈澱分離流量調整槽Ｎからの被処理水を流入可能に構成するとともに、他の形成部Ｋに流出部Ｚを形成する流出管を取り付けて膜分離装置Ｍにより分離された被処理水を流出可能に構成する。
【００１６】
前記膜分離装置Ｍは、濾過膜Ｍ１を立設するケーシングＭ２を備え、前記ケーシングＭ２に立設した濾過膜Ｍ１に気泡を供給する散気装置Ｄを前記ケーシングＭ２に取り付け固定してある。また、前記散気装置Ｄは前記濾過膜Ｍ１の下方に横架姿勢で散気管Ｄ１を設けて、給気管Ｄ２から給気自在に構成してある。前記給気管Ｄ２は、前記ケーシングＭ２に固定した縦管を、下端部において屈曲させ散気管Ｄ１に延設して接続してある。一方、前記給気管Ｄ２は、上方側において槽外に設けられたブロワＢから給気導入自在に構成してある。また、前記膜分離装置Ｍの前記給気管Ｄ２と対向する側には、前記給気管Ｄ２と同形状の縦管Ｄ３を別途設けてある。
【００１７】
ここで、前記給気管Ｄ２の上端部は、前記上開口部Ｈ近傍にまで延設して、係止部Ｄ２１を形成してあるとともに、前記水処理室に臨む上開口部Ｈの周縁部Ｈ１に着脱可能に設けた固定用部材３０に形成された被係止部３２に係止固定してある。また、同様に前記縦管Ｄ３の上端に設けられる係止部Ｄ３１は、前記被係止部３２とは対称位置に設けられた被係止部３２に固定されている。
【００１８】
図３に示すように、前記消毒槽Ｑは、浄化槽本体Ｑ０に、前記膜分離装置Ｍによって分離された被処理水を受けて貯留する水処理室としての貯水部Ｑ１と、消毒剤Ｑ２と被処理水を接触させるための消毒部Ｑ３を仕切って設けてある。また、前記貯水部Ｑ１には被処理水を消毒部Ｑ３に移送するための移流ポンプを備える。前記消毒部Ｑ２に移流した被処理水は、前記消毒剤Ｑ２と接触後、前記消毒槽Ｑの外部に放流される。
【００１９】
前記支持部１０は、図１〜５に示すように、前記スクリーン部材Ｓと前記膜分離装置Ｍとのいずれであっても容易に固定支持可能な突部４１を前記浄化槽本体Ｎ０，Ｅ０の底部に一体成形してある。前記スクリーン部材Ｓは、前記突部４１の外周部に嵌合させて固定自在にするとともに、前記膜分離装置Ｍは、前記突部４１同士が対向する内面側に挟持させて固定自在にしてある。このように、前記支持部１０を備えた浄化槽では、種々の内装部材を安定に支持できる。
【００２０】
前記固定用部材３０は、図１，２に示すように、前記上開口部Ｈに横架姿勢で配置可能に前記上開口部Ｈの周縁部に係合可能な屈曲部３３を端部に有する板状体から構成してあり、前記上開口部Ｈに取り付けた状態で上開口部Ｈ中央に位置する点検部３４を開口形成してある。また、前記点検部３４の縁部下方側には、前記スクリーン部材Ｓ上端部の係止部２に内嵌自在なフランジ部を設けるとともに、前記固定用部材３０を前記上開口部Ｈに取り付けた状態で、前記スクリーン部材Ｓの係止部２と係合自在な被係止部３１に構成してある。また、前記固定用部材３０には、前記上開口部Ｈ周縁部に取り付けた状態で、前記給気管Ｄ２上部に設けた係止部Ｄ２１を嵌入固定する被係止部３２を設けてある。そのため、前記固定用部材３０によると、種々の内装部材に対する被係止部３１，３２を有するために、種々の内装部材Ｓ，Ｍを確実に係止できる。
前記浄化槽Ｎ，Ｅは、前記固定用部材３０を前記上開口部Ｈに取り付けた状態で、その上開口部Ｈに蓋部材を取り付け、内装部材を完全に固定した状態にして用いられる。
【００２１】
〔別実施例〕
本発明の水処理装置は、前記ケーシングが有底円筒状の下側本体と、前記下側本体の上部に水封可能に結合自在な上側本体とからなる浄化槽から構成してあっても良い。
たとえば、図６に示すように、流入部Ｉと流出部Ｚとを形成する上側本体Ｅ１と、主に貯水機能を有する下側本体Ｅ２とから構成し、両者を接合部Ｅ１２において水封状態で嵌合わせられるとともに、その状態で両者を軸心周りに相対回転させて摺動自在に構成する。
これにより、水処理装置の施工時には各浄化槽を所定位置に埋設施工した後、上側本体Ｅ１を下側本体Ｅ２に対して摺動させ、前記形成部Ｋを位置決めした後配管してその浄化槽に流入部Ｉと流出部Ｚとを形成し、上下側本体Ｅ１，Ｅ２を水密シールにより互いに接着することによって、浄化槽本体Ｅを構成すると同時に水処理装置を形成することができる。
尚、本発明において水封と称する場合には、一方側の水を他方側に移動させない程度に防水することを意味し、たとえば、上側、下側両本体の界面をシール材等により封止したり、融着させて封止したり、密に嵌合させて封止したりして水封状態を形成することができる。
【００２２】
上述の実施の形態においては、沈澱分離流量調整槽Ｎ、膜分離槽Ｅ、消毒槽Ｑの各水処理槽を設けて水処理装置を構成したが、他に嫌気濾床槽、好気濾床槽、活性汚泥処理槽、一時貯留槽等、水処理装置の使用用途に応じて適した水処理槽を適宜選択して組み合わせればよい。この際、種々の水処理槽に形成自在なケーシングを用いて浄化槽を形成しておけば、水処理槽の適用箇所に応じた水処理槽の組み合わせを設計変更しやすく、現場に応じて種々の水処理槽の組み合わせを実現して用いることができ、たとえば図３の配置にとらわれることなく、図７に示すように各浄化槽を配置することができる。
【図面の簡単な説明】
【図１】浄化槽の分解組み立て図
【図２】浄化槽本体の詳細図
【図３】水処理装置の縦断斜視図
【図４】沈澱分離流量調整槽の縦断側面図
【図５】膜分離槽の縦断側面図
【図６】別実施例における浄化槽の要部縦断側面図
【図７】別実施例における水処理装置における浄化槽配置例を示す図
【符号の説明】
Ｎ                            沈澱分離流量調整槽
Ｅ                        膜分離槽
Ｑ                          消毒槽
Ｎ０，Ｅ０，Ｑ０    浄化槽本体
Ｓ，Ｍ                  内装部材
Ｉ                          被処理水流入部
Ｚ                      被処理水流出部
Ｋ                          被処理水流通管形成部
Ｓ                            スクリーン部材
１０                      支持部
２                      係止部
３０                    固定用部材
３１                    被係止部
Ｍ１                    濾過膜
Ｄ２１                係止部
３２                  被係止部
【図１】
2004181410.tif 000003
【図２】
2004181410.tif 000004
【図３】
2004181410.tif 000005
【図４】
2004181410.tif 000006
【図５】
2004181410.tif 000007
【図６】
2004181410.tif 000008
【図７】
2004181410.tif 000009